(57)【要約】
【課題】  メモリ内のデータを確実に保護すると共に、ハッキングを防止でき、パスワード入力の手間を省いてパスワード漏洩の無い携帯用メモリ装置を提供すること。
【解決手段】  本体部１に、高周波受信回路１２と、高周波受信回路１２に制御スイッチ１３を介して接続されたファイアウォール機能部と、メモリ１１と、メモリ１１に接続されたメモリ・ＵＳＢインターフェース制御回路を設け、本体部１へ着脱可能な蓋体２に、ＩＤパスワードを発信する高周波発信回路２１を設け、蓋体２が本体部１から離れて高周波受信回路１２が高周波発信回路２１からの信号を受信できない時、制御スイッチがファイアウォールを起動してメモリ１１へアクセス不能となり、高周波受信回路１２が高周波発信回路２１からの信号を受信したとき、制御スイッチがファイアウォールを解除する。【選択図】          図１
0003101222.tif 000002
【実用新案登録請求の範囲】
【請求項１】
本体部と、該本体部に対して着脱自在な蓋体とから成り、前記本体部は、受信した高周波信号を記憶したＩＤパスワードと照合する高周波受信回路と、メモリと、該メモリを保護するファイアウォールがプログラムされたファイアウォール機能部と、前記高周波受信回路と前記ファイアウォール機能部の間に介在されて、ファイアウォールの起動・解除を制御する制御スイッチと、コンピュータ機器に接続可能な端子を有すると共に、前記メモリに接続されたメモリ・ＵＳＢインターフェース制御回路とを備え、前記蓋体は、ＩＤパスワードを前記高周波受信回路で受信可能な高周波信号として発信する高周波発信回路を有し、前記蓋体が前記本体部から一定距離以上離れて、前記高周波受信回路が前記高周波発信回路からの信号を受信できない時、前記制御スイッチがファイアウォールを起動して前記メモリにアクセス不能となり、前記高周波受信回路が高周波発信回路からの信号を受信してＩＤパスワードを判別したとき、前記制御スイッチがファイアウォールを解除して、前記メモリにアクセス可能となる携帯用メモリ装置。
【請求項２】
前記高周波発信回路に計数器が接続され、前記高周波発信回路は前記計数器によって規定された一定時間毎に高周波信号を発信する請求項１に記載の携帯用メモリ装置。
【考案の詳細な説明】
【技術分野】
【０００１】
本考案は、フラッシュメモリ等のメモリを内蔵し、該メモリ内に保存されたデータを保護できる携帯用メモリ装置に関する。
【背景技術】
【０００２】
フラッシュメモリ等のメモリを内蔵した通常の携帯用メモリ装置は、様々なコンピュータ機器に接続して利用できるので便利であるが、一般的に高度なデータ保護機能は有していない。
セキュリティロック機能を備えた携帯用フラッシュメモリ装置も市販されているが、特定のソフトウェアと併せて使用しなければ、データ保護の効果が得られず、また、使用するたびにパスワードを入力する必要があって面倒であり、しかも、各コンピュータに上記ソフトウェアをインストールしなければ正常に使用できないので、利便性に欠ける。
さらに、従来の携帯用フラッシュメモリ装置は、再フォーマットするだけで再利用できるため、確実にデータを保護できず、コンピュータハッカーによる攻撃も撃退することができない。
【考案の開示】
【考案が解決しようとする課題】
【０００３】
本考案が解決しようとする課題は、メモリ内のデータを確実に保護すると共に、ハッキングを防止でき、パスワード入力の手間を省いてパスワード漏洩の無い携帯用メモリ装置を提供することにある。
【課題を解決するための手段】
【０００４】
本考案の携帯用メモリ装置は、本体部と、該本体部に対して着脱自在な蓋体とから成り、前記本体部は、受信した高周波信号を記憶したＩＤパスワードと照合する高周波受信回路と、メモリと、該メモリを保護するファイアウォールがプログラムされたファイアウォール機能部と、前記高周波受信回路と前記ファイアウォール機能部の間に介在されて、ファイアウォールの起動・解除を制御する制御スイッチと、コンピュータ機器に接続可能な端子を有すると共に、前記メモリに接続されたメモリ・ＵＳＢインターフェース制御回路とを備え、前記蓋体は、ＩＤパスワードを前記高周波受信回路で受信可能な高周波信号として発信する高周波発信回路を有し、前記蓋体が前記本体部から一定距離以上離れて、前記高周波受信回路が前記高周波発信回路からの信号を受信できない時、前記制御スイッチがファイアウォールを起動して前記メモリにアクセス不能となり、前記高周波受信回路が高周波発信回路からの信号を受信してＩＤパスワードを判別したとき、前記制御スイッチがファイアウォールを解除して、前記メモリにアクセス可能となる。
前記高周波発信回路に計数器が接続され、前記高周波発信回路は前記計数器によって規定された一定時間毎に高周波信号を発信することもある。
【考案の効果】
【０００５】
本考案によれば、蓋体を身につけた使用者が、コンピュータ機器に接続された本体部から離れると、ファイアウォールが自動的に起動してメモリ内のデータが保護され、本体部を接続したコンピュータ機器へのハッキングによるデータへのアクセスも防ぐことができる。
また、蓋体を身につけた使用者が、本体部を接続したコンピュータ機器へ接近するだけで、パスワードの入力を行うこと無く自動的にファイアウォールが解除されて、メモリ内のデータへアクセスすることができる。
【考案を実施するための最良の形態】
【０００６】
以下、本考案の実施例を図面に基づいて詳細に説明する。
本考案の携帯用メモリ装置は、図１に示すように、本体部１と、本体部１に対して着脱自在な蓋体２とから成る。
本体部１は、図３に示すように、フラッシュメモリ等のメモリ１１と、高周波受信回路１２と、制御スイッチ１３と、ファイアウォール機能部１４と、各種コンピュータ機器のＵＳＢポートに接続可能な端子を有するメモリ・ＵＳＢインターフェース制御回路１５とを備える。
【０００７】
高周波受信回路１２は、受信した高周波信号を記憶されているＩＤパスワードと比較して判別する機能を有する。
また、ファイアウォール機能部１３には、メモリ１１を保護するためのファイアウォールを作動させるプログラムが組み込まれている。
そして、高周波受信回路１２とファイアウォール機能部１４とは、ファイアウォールの起動・解除を制御する制御スイッチ１３を介して接続され、メモリ１１とメモリ・ＵＳＢインターフェース制御回路１５とはデータバスを介して接続されている。
【０００８】
蓋体２は、図４に示すように、本体部１の高周波受信回路１２に対応する周波数の信号を発信する高周波発信回路２１と、エンコーダ２２と、内蔵ＩＤパスワード出力部２３と、計数器２４とを有する。
そして、内蔵ＩＤパスワード出力部２３及び係数器２４は、エンコーダ２２を介して高周波発信回路２１に接続され、高周波発信回路２１は、内蔵ＩＤパスワード出力部２３及び計数器２４からの入力によりエンコーダ２２が出力する符号信号を受けて、計数器２４によって規定された時間毎に、ＩＤパスワードを高周波信号として発信するようになっている。
【０００９】
図２に示すように、本体部１をコンピュータ３、デジタルカメラ４、ＰＤＡ５等のコンピュータ機器に接続し、図５に示すように、使用者が蓋体２を身につけて接近すると、蓋体２の高周波発信回路２１から発信される信号を本体部１の高周波受信回路１２が受信し、受信した信号を記憶されているＩＤパスワードと照合する。
受信した信号が記憶されているＩＤパスワードと一致すると、制御スイッチ１３がファイアウォールを解除するので、コンピュータ機器からメモリ・ＵＳＢインターフェース制御回路１５を介してメモリ１１に対し読み取り・書き込みを行うことができる。
【００１０】
ところが、図６に示すように、蓋体２を身につけた使用者が本体部１から一定距離以上離れると、蓋体２の高周波発信回路２１から発信される信号を本体部１の高周波受信回路１２が受信できなくなり、制御スイッチ１３がメモリ１１を保護するファイアウォールを起動させる。
この結果、メモリ１１にアクセスすることができなくなって、メモリ１１内に保存されたデータが保護される。
【図面の簡単な説明】
【００１１】
【図１】本考案の実施例を示す携帯用メモリ装置の斜視図。
【図２】携帯用メモリ装置の使用例を示す斜視図。
【図３】本体部の構成部品間の関係を示す図。
【図４】蓋体の構成部品間の関係を示す図。
【図５】ファイアウォールが解除された時の状態を示す斜視図。
【図６】ファイアウォールが起動した状態を示す斜視図。
【符号の説明】
【００１２】
１  本体部
１１  メモリ
１２  高周波受信回路
１３  制御スイッチ
１４  ファイアウォール機能部
１５  メモリ・ＵＳＢインターフェース制御回路
２  蓋体
２１  高周波発信回路
２２  エンコーダ
２３  内蔵ＩＤパスワード出力部
２４  計数器
３  コンピュータ
４  デジタルカメラ
５  ＰＤＡ
【図１】
0003101222.tif 000003
【図２】
0003101222.tif 000004
【図３】
0003101222.tif 000005
【図４】
0003101222.tif 000006
【図５】
0003101222.tif 000007
【図６】
0003101222.tif 000008